(57)【要約】【課題】楽曲単位で任意に選択して再生を行うことを容易にしたオーディオ装置を提供する。【解決手段】オーディオデータを記憶部へ記憶させることに先立ち、記憶対象のオーディオデータと同一視できるオーディオデータが記憶部に記憶されているか否かを判定する。そして、記憶対象のオーディオデータと同一視できるオーディオデータが記憶部に記憶されていないと判定された場合は、記憶対象のオーディオデータを含む楽曲ファイルを記憶手段に記憶させ、一方、記憶対象のオーディオデータと同一視できるオーディオデータは記憶部に既に記憶されていると判定された場合は、記憶対象のオーディオデータの代わりに、記憶部に記憶されているオーディオデータを特定可能な情報を含むダミーファイルを記憶部に記憶させることを可能とする。【選択図】図２
2009122608.tif 000002
【特許請求の範囲】
【請求項１】
書き換え可能な不揮発性の記憶手段を備えたオーディオ装置であって、
オーディオデータとそのオーディオデータのタイトルデータとを取得する取得手段と、
前記取得手段により取得される前記オーディオデータを前記記憶手段へ記憶させることに先立ち、前記取得手段より取得した前記タイトルデータと、前記記憶手段に既に記憶されている前記タイトルデータとに基づいて記憶対象の前記オーディオデータと同一視できるオーディオデータが前記記憶手段に記憶されているか否かを判定する判定手段と、
記憶対象の前記オーディオデータと同一視できるオーディオデータが前記記憶手段に記憶されていないと前記判定手段によって判定された場合は、前記取得手段より取得した記憶対象の前記オーディオデータと前記タイトルデータとを前記記憶手段に記憶させ、一方、記憶対象の前記オーディオデータと同一視できるオーディオデータは前記記憶手段に記憶されていると前記判定手段によって判定された場合は、記憶対象の前記オーディオデータの代わりに、前記記憶手段に記憶されている前記オーディオデータを特定可能な情報を含むダミーデータを、前記タイトルデータとともに前記記憶手段に記憶させることを可能とした記憶制御手段と、
再生対象が前記記憶手段に記憶されている前記オーディオデータであった場合はそのオーディオデータに基づいて音声信号を出力し、再生対象が前記記憶手段に記憶されている前記ダミーデータであった場合はそのダミーデータより特定できる前記オーディオデータに基づいて音声信号を出力する再生手段と、
を備えることを特徴とするオーディオ装置。
【請求項２】
請求項１に記載のオーディオ装置において、
前記取得手段は、前記タイトルデータに加え、前記オーディオデータが属するアルバム名、前記オーディオデータについてのアーティスト名、又は、前記オーディオデータの演奏時間の少なくともいずれか一つについても追加データとして取得し、
前記判定手段は、前記取得手段が取得した前記タイトルデータ及び前記追加データと、前記記憶手段に既に記憶されている前記タイトルデータ及び前記追加データとに基づいて記憶対象の前記オーディオデータと同一視できるオーディオデータが前記記憶手段に記憶されているか否かを判定し、
前記記憶制御手段は、前記タイトルデータに加えて前記追加データも前記記憶手段に記憶させること、
を特徴とするオーディオ装置。
【請求項３】
請求項１又は請求項２に記載のオーディオ装置において、
ユーザから指示を受け付けるための受付手段をさらに備え、
前記記憶制御手段は、記憶対象の前記オーディオデータと同一視できるオーディオデータが前記記憶手段に記憶されていると判定された場合でも、前記オーディオデータを前記記憶手段に記憶させる旨の指示を前記受付手段を介してユーザから受け付けた場合は、前記ダミーデータの代わりに、前記取得手段より取得した前記オーディオデータを前記記憶手段に記憶させること、
を特徴とするオーディオ装置。
【請求項４】
請求項１〜請求項３のいずれかに記載のオーディオ装置において、
削除対象が前記記憶手段に記憶されている前記オーディオデータであった場合、当該オーディオデータに紐付けられた前記ダミーデータを検索し、当該ダミーデータについても前記記憶手段から削除する削除制御手段をさらに備えること、
を特徴とするオーディオ装置。
【発明の詳細な説明】
【技術分野】
【０００１】
本発明は、オーディオデータを記憶しておき、その記憶しておいたオーディオデータをスピーカ等に対して出力可能なオーディオ装置に関する。
【背景技術】
【０００２】
近年、音楽ＣＤに記録されているオーディオデータをハードディスク等に記憶させ、その記憶させたオーディオデータを用いて音楽の再生を行うオーディオ装置が実用化されている。このようなオーディオ装置によれば、音楽再生時に音楽ＣＤを不要とすることができ、オーディオ装置の使い勝手が向上する。
【０００３】
ところで、アルバム名は異なるが同一の曲が収録されている音楽ＣＤが複数市販されている場合がある。このような場合、これらの音楽ＣＤそれぞれのオーディオデータをハードディスクに記憶させると、結果として同一のオーディオデータが二重に記憶されることになり、ハードディスクの使用効率が悪いといえる。
【０００４】
そこで、このような問題を解決する手段として、特許文献１のようなオーディオ記録装置が提案されている。このオーディオ記録装置は、オーディオ記録媒体（音楽ＣＤ）の収録曲がハードディスク上に既に録音済みか否かを判定し、収録曲のうち録音済みの曲を除いた曲をハードディスクに録音するようにさせるとともに、録音済みであるか否かにかかわらず、オーディオ記録媒体の全ての収録曲を含んだプレイリストを生成して記録する（引用文献１の請求項１等）。
【特許文献１】特開２００４−３６２６９７号公報
【発明の開示】
【発明が解決しようとする課題】
【０００５】
しかしながら、特許文献１に記載のオーディオ記録装置は、オーディオ記録媒体（音楽ＣＤ）単位でプレイリストを作成し（特許文献１の段落「００２５」等参照）、プレイリスト中の曲と、その記録場所を示すアドレスとを関連付けて記憶させるため（特許文献１の段落「００２７」〜「００２８」等参照）、再生時の使い勝手が悪い。つまり、ユーザは、希望の楽曲を再生させる際に必ず最初にプレイリストを選択しなければならない。そして、ユーザが再生を希望する楽曲と再生を希望しない楽曲とが混在するプレイリスト中から所望の楽曲を選択することになる。
【０００６】
このように、特許文献１に記載のオーディオ記録装置では、録音時に生成されたプレイリスト単位で楽曲再生を行うことを強いるものであるため、楽曲単位で任意に選択して再生を行う場合の使い勝手が悪い。
【０００７】
本願発明はこのような問題にかんがみなされたものであり、楽曲単位で任意に選択して再生を行うことを容易にしたオーディオ装置を提供することを目的とする。
【課題を解決するための手段】
【０００８】
上記課題を解決するためになされた請求項１に記載のオーディオ装置は、書き換え可能な不揮発性の記憶手段を備えたオーディオ装置であって、取得手段と、判定手段と、記憶制御手段と、再生手段とを備える。取得手段は、オーディオデータとそのオーディオデータのタイトルデータ（楽曲単位のタイトルデータ）とを取得する。判定手段は、取得手段により取得されるオーディオデータを記憶手段へ記憶させることに先立ち、取得手段より取得したタイトルデータと、記憶手段に既に記憶されているタイトルデータとに基づいて記憶対象のオーディオデータと同一視できるオーディオデータが記憶手段に記憶されているか否かを判定する。記憶制御手段は、記憶対象のオーディオデータと同一視できるオーディオデータが記憶手段に記憶されていないと判定手段によって判定された場合は、取得手段より取得した記憶対象のオーディオデータとタイトルデータとを記憶手段に記憶させ、一方、記憶対象のオーディオデータと同一視できるオーディオデータは記憶手段に記憶されていると判定手段によって判定された場合は、記憶対象のオーディオデータの代わりに、記憶手段に記憶されているオーディオデータを特定可能な情報を含むダミーデータを、タイトルデータとともに記憶手段に記憶させることが可能である。再生手段は、再生対象が記憶手段に記憶されているオーディオデータであった場合はそのオーディオデータに基づいて音声信号を出力し、再生対象が記憶手段に記憶されているダミーデータであった場合はそのダミーデータより特定できるオーディオデータに基づいて音声信号を出力する。
【０００９】
このようなオーディオ装置によれば、楽曲単位でオーディオデータ又はダミーデータが記憶手段に記憶され、オーディオデータ又はダミーデータが選択されることにより、楽曲の再生がなされる。このため、ユーザは従来のようにプレイリストを介した選択を行う必要を強いられることなく、例えば、記憶手段に記憶された全楽曲の一覧から再生を希望する楽曲を選択したり、アルバム単位ではない任意のプレイリストを作成したりすることを容易に行うことができる。つまり、従来のオーディオ装置と比較して使い勝手が良い。
【００１０】
ところで、取得手段は、タイトルデータに加え、オーディオデータが属するアルバム名、オーディオデータについてのアーティスト名、又は、オーディオデータの演奏時間の少なくともいずれか一つについても追加データとして取得するようになっていてもよい。そして、判定手段は、取得手段が取得したタイトルデータ及び追加データと、記憶手段に既に記憶されているタイトルデータ及び追加データとに基づいて記憶対象のオーディオデータと同一視できるオーディオデータが記憶手段に記憶されているか否かを判定し、記憶制御手段は、タイトルデータに加えて追加データも記憶手段に記憶させるようになっていてもよい（請求項２）。
【００１１】
このようになっていれば、例えば、タイトルは同じであるがアーティスト名が異なる場合に、「記憶対象のオーディオデータと同一視できるオーディオデータが記憶手段に記憶されていない」という判断がなされ得るようになる。したがって、記憶対象のオーディオデータと同一視できるオーディオデータが記憶手段に記憶されているか否かの判断結果の精度が向上する。
【００１２】
しかしながら、判定手段により、記憶対象のオーディオデータと同一視できるオーディオデータが記憶手段に記憶されていると判定された場合でも、ユーザが記憶手段にダミーデータの代わりにオーディオデータを記憶させたいと考える場合があり得る。例えば、楽曲のタイトル等は同じであるが、楽曲の録音環境（例えば、スタジオ録音と、ライブ録音といった環境）が異なっている場合に両方とも記憶手段に記憶させたいと考える場合である。
【００１３】
このような要望を実現するために、ユーザから指示を受け付けるための受付手段をさらに備えるようにオーディ装置を構成し、記憶制御手段は、記憶対象のオーディオデータと同一視できるオーディオデータが記憶手段に記憶されていると判定された場合でも、オーディオデータを記憶手段に記憶させる旨の指示を受付手段を介してユーザから受け付けた場合は、ダミーデータの代わりに、取得手段より取得したオーディオデータを記憶手段に記憶させるようになっているとよい（請求項３）。
【００１４】
このようになっていれば、判定手段により、記憶対象のオーディオデータと同一視できるオーディオデータが記憶手段に記憶されていると判定された場合でも、ユーザが記憶手段にダミーデータの代わりにオーディオデータを記憶させたいときにそれを実現することができる。
【００１５】
ところで、再生対象としてダミーデータが指定された場合には、そのダミーデータによって特定されるオーディオデータが必要となる。つまり、ダミーデータだけでは楽曲の再生を行うことができない。このため、オーディオデータが削除された場合には、このオーディオデータに対して紐付けられているダミーデータは、再生対象として指定されたとしてもオーディオ装置は楽曲の再生を行うことができない。このような状態は、ユーザにとって好ましくない。
【００１６】
したがって、削除対象が記憶手段に記憶されているオーディオデータであった場合、当該オーディオデータに紐付けられたダミーデータを検索し、当該ダミーデータについても記憶手段から削除する削除制御手段をさらに備えるようにオーディオ装置を構成するとよい（請求項４）。
【００１７】
このようなオーディオ装置であれば、再生対象としてダミーデータが指定されたときにオーディオデータがないことによって再生できないということの発生を防止できる。
【発明を実施するための最良の形態】
【００１８】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１９】
［構成の説明］
図１は、実施形態のオーディオ装置１１、及び、そのオーディオ装置１１に接続された装置類の概略構成を示すブロック図である。オーディオ装置１１には、通信装置２１及びスピーカ２２が接続されている。
【００２０】
（１）オーディオ装置１１について
オーディオ装置１１は、ＣＤドライブ１２、通信インタフェース１３、記憶部１４、表示部１５、操作部１６、再生部１７、及び、制御部１８を備える。
【００２１】
ＣＤドライブ１２は、オーディオデータ等が記憶されたＣＤ（図示せず）からデータを読み出すドライブである。
通信インタフェース１３は、通信装置２１と通信をするためのインタフェースであり、通信装置２１を介してオーディオデータ等の各種データを図示しないサーバから取得することが可能である。
【００２２】
記憶部１４は、ハードディスクや、フラッシュメモリ等の不揮発性の記憶デバイスから構成され、ＣＤドライブ１２を介してＣＤより取得したオーディオデータや、通信装置２１から取得したオーディオデータ等を記憶することができる。
【００２３】
ここで、記憶部１４に記憶されるデータについて図２を用いて説明する。図２（ａ）に示すように、記憶部１４には、楽曲ファイル記憶領域１４ａと、プレイリストデータ記憶領域１４ｂと、楽曲データベース領域１４ｃとが設けられている。
【００２４】
楽曲ファイル記憶領域１４ａには、楽曲ファイル又はダミーフィルが複数記憶可能になっている。なお、楽曲ファイルは、楽曲ＩＤと、オーディオデータと、付随データ（楽曲タイトルデータ、アルバム名データ、アーティスト名データ、楽曲長データ等）とから構成される（図２（ｂ）参照）。また、ダミーファイルは、楽曲ＩＤと、オーディオデータと、付随データ（楽曲タイトルデータ、アルバム名データ、アーティスト名データ、楽曲長データ等）とから構成される（図２（ｃ）参照）。
【００２５】
プレイリストデータ記憶領域１４ｂには、プレイリストデータが複数記憶可能になっている。なお、各プレイリストデータは、図示しないが、プレイリストＩＤと、複数の楽曲ＩＤとから構成される。
【００２６】
楽曲データベース領域１４ｃには、市販されている楽曲に対応する付随データ（楽曲タイトルデータ、アルバム名データ、アーティスト名データ、楽曲長データ等）が楽曲データベースとして既に記憶されている。なお、この楽曲データベースを参照することにより、所望の楽曲の付随データが得られるようになっている。
【００２７】
説明を図１に戻す。表示部１５は、液晶パネルや有機ＥＬパネル等の画像表示パネルからなり、楽曲情報（付随データにより表される情報）、再生楽曲の再生位置、ユーザに対するメッセージ等を表示することができるデバイスである。
【００２８】
操作部１６は、メカニカルなキースイッチや、表示部１５の画像表示パネルに積層一体形成されたタッチパネル等からなり、ユーザからの指示を受け付けることができるデバイスである。
【００２９】
再生部１７は、Ｄ／Ａコンバータや増幅器等からなり、オーディオデータを入力してアナログ音声信号に変換し、変換したものを増幅してスピーカ２２に出力するデバイスである。
【００３０】
制御部１８は、ＣＰＵ、ＲＯＭ、ＲＡＭ等の周知のマイコンからなり、ＲＯＭに記憶されたプログラムに基づいて各種の処理を実行し、ＣＤドライブ１２、通信インタフェース１３、記憶部１４、表示部１５、操作部１６及び再生部１７を制御するデバイスである。
【００３１】
（２）通信装置２１について
通信装置２１は、無線通信又は有線通信によりインターネット等の通信網に接続してデータを送受信することができる装置である。なお、通信先としては、オーディオデータを販売するサーバや、付随データを提供するサーバ等が考えられる。なお、これらのサーバについては図１には図示していない。
【００３２】
（３）スピーカ２２について
スピーカ２２は、アナログ音声信号を入力して音声出力するデバイスである。出力されるものとしては、楽曲の他、ユーザへのメッセージ等もスピーカ２２より出力される。
【００３３】
［動作の説明］
次に、オーディオ装置１１の動作について説明する。
（１）記憶処理
まず、記憶処理について、図３及び図４のフローチャートを用いて説明する。記憶処理は、制御部１８が主導して実行する。また、記憶処理は、ＣＤドライブ１２に挿入されているＣＤからオーディオデータを取得する旨の指示をユーザが操作部１６に対して行った際に実行される。また、記憶処理は、通信装置２１を介してサーバからオーディオデータを取得する旨の指示をユーザが操作部１６に対して行った際にも実行が開始される。
【００３４】
制御部１８は、記憶処理の実行を開始すると、まず記憶対象のオーディオデータの付随データを取得する（Ｓ１０５）。具体的には、ユーザがＣＤからオーディオデータを取得する旨の指示を行った場合には、そのＣＤに記憶されたＴＯＣ（Table Of Contents）情報に基づいて、記憶部１４に記憶されている楽曲データベースを検索して取得、又は、楽曲データベースを提供しているサーバから取得する。また、ユーザが通信装置２１を介してサーバからオーディオデータを取得する旨の指示を行った場合には、そのサーバから付随データをオーディオデータの取得に先立って取得する。
【００３５】
続いて、Ｓ１０５で取得した付随データと、楽曲タイトルデータ、アルバム名データ、アーティスト名データ及び楽曲長データの項目において一致する付随データを有する楽曲ファイル（以下、「条件Ａを満たす楽曲ファイル」と称す。）が、記憶部１４の楽曲ファイル記憶領域１４ａに記憶されているか否かを検索して判定し、その判定結果によって処理を分岐する（Ｓ１１５）。条件Ａを満たす楽曲ファイルが記憶部１４の楽曲ファイル記憶領域１４ａに記憶されていると判定された場合は（Ｓ１１５：Ｙｅｓ）、Ｓ１２０へ処理を移行し、条件Ａを満たす楽曲ファイルが記憶部１４の楽曲ファイル記憶領域１４ａに記憶されていないと判定された場合は（Ｓ１１５：Ｎｏ）、Ｓ１３５へ処理を移行する。
【００３６】
条件Ａを満たす楽曲ファイルが記憶部１４の楽曲ファイル記憶領域１４ａに記憶されていると判定された場合に進むＳ１２０では、同一の楽曲が既に記憶部１４に記憶されていることをユーザへ報知する。具体的には、例えば、表示部１５に「同一の曲が既に記憶されています」と表示させたり、同内容をスピーカ２２から音声出力させたりすることによって報知する。
【００３７】
続いて、オーディオデータを上書きするか否かをユーザに問い合わせ、その応答に基づいて処理を分岐する（Ｓ１２５）。具体的な問合せ方法としては、例えば、表示部１５に「上書きしますか？」と表示させたり、スピーカ２２から「上書きしますか」と音声出力させたりするとともに、ユーザからの操作部１６に対する応答を受け付けることによって行う。また、処理の分岐は、ユーザがオーディオデータの上書きを希望した場合には、Ｓ１３０へ処理を移行し、ユーザがオーディオデータの上書きを希望しなかった場合には、本処理（記憶処理）を終了する。
【００３８】
ユーザがオーディオデータの上書きを希望した場合に進むＳ１３０では、ＣＤ又はサーバからオーディオデータを取得し、記憶部１４より検索された楽曲ファイル中のオーディオデータを、取得したオーディオデータによって上書きする。そして、本処理（記憶処理）を終了する。なお、上書きするステップが存在する理由は、何らかの理由によってオーディオデータが破損した場合にそれを修復することを可能にするためである。
【００３９】
Ｓ１１５において、条件Ａを満たす楽曲ファイルが記憶部１４の楽曲ファイル記憶領域１４ａに記憶されていないと判定された場合に進むＳ１３５では、Ｓ１０５で取得した付随データと、楽曲タイトルデータ、アーティスト名データ及び楽曲長データの項目において一致する付随データを有する楽曲ファイル（以下、「条件Ｂを満たす楽曲ファイル」と称す。）が、記憶部１４の楽曲ファイル記憶領域１４ａに記憶されているか否かを検索して判定し、その判定結果によって処理を分岐する（Ｓ１３５）。条件Ｂを満たす楽曲ファイルが記憶部１４に記憶されている場合は（Ｓ１３５：Ｙｅｓ）、Ｓ１４０へ処理を移行し、条件Ｂを満たす楽曲ファイルが記憶部１４に記憶されていない場合は（Ｓ１３５：Ｎｏ）、Ｓ１４５へ処理を移行する。
【００４０】
条件Ｂを満たす楽曲ファイルが記憶部１４に記憶されていると判定した場合に進むＳ１４０では、条件Ｂを満たす楽曲ファイルが記憶部１４に記憶されていることを報知する。具体的には例えば、表示部１５に「タイトル、アーティスト名、及び、長さが一致する曲が既に記憶されています」と表示させたり、同内容をスピーカ２２から音声出力させたりすることによって報知する。そして、Ｓ２０５へ移行する（図４参照）。
【００４１】
条件Ｂを満たす楽曲ファイルが記憶部１４に記憶されていないと判定した場合に進むＳ１４５では、Ｓ１０５で取得した付随データと、楽曲タイトルデータ、アルバム名データ及びアーティスト名データの項目において一致する付随データを有する楽曲ファイル（以下、「条件Ｃを満たす楽曲ファイル」と称す。）が、記憶部１４の楽曲ファイル記憶領域１４ａに記憶されているか否かを検索して判定し、その判定結果によって処理を分岐する。条件Ｃを満たす楽曲ファイルが記憶部１４に記憶されている場合は（Ｓ１４５：Ｙｅｓ）、Ｓ１５０へ処理を移行し、条件Ｃを満たす楽曲ファイルが記憶部１４に記憶されていない場合は（Ｓ１４５：Ｎｏ）、Ｓ１５５へ処理を移行する。
【００４２】
条件Ｃを満たす楽曲ファイルが記憶部１４に記憶されていると判定した場合に進むＳ１５０では、条件Ｃを満たす楽曲ファイルが記憶部１４に記憶されていることを報知する。具体的には例えば、表示部１５に「タイトル、アルバム名、及び、アーティスト名が一致する曲が既に記憶されています」と表示させたり、同内容をスピーカ２２から音声出力させたりすることによって報知する。そして、Ｓ２０５へ移行する（図４参照）。
【００４３】
条件Ｃを満たす楽曲ファイルが記憶部１４に記憶されていないと判定した場合に進むＳ１５５では、Ｓ１０５で取得した付随データと、楽曲タイトルデータ及びアーティスト名データに項目において一致する付随データを有する楽曲ファイル（以下、「条件Ｄを満たす楽曲ファイル」と称す。）が、記憶部１４の楽曲ファイル記憶領域１４ａに記憶されているか否かによって処理を分岐する。条件Ｄを満たす楽曲ファイルが記憶部１４に記憶されている場合は（Ｓ１５５：Ｙｅｓ）、Ｓ１６０へ処理を移行し、条件Ｄを満たす楽曲ファイルが記憶部１４に記憶されていない場合は（Ｓ１５５：Ｎｏ）、Ｓ１６５へ処理を移行する。
【００４４】
条件Ｄを満たす楽曲ファイルが記憶部１４に記憶されていると判定した場合に進むＳ１６０では、条件Ｄを満たす楽曲ファイルが記憶部１４に記憶されていることを報知する。具体的には例えば、表示部１５に「タイトル及びアーティスト名が一致する曲が既に記憶されています」と表示させたり、同内容をスピーカ２２から音声出力させたりすることによって報知する。そして、Ｓ２０５へ移行する（図４参照）。
【００４５】
条件Ｄを満たす楽曲ファイルが記憶部１４に記憶されていないと判定した場合に進むＳ１６５では、Ｓ１０５で取得した付随データと、楽曲タイトルデータの項目において一致する付随データを有する楽曲ファイル（以下、「条件Ｅを満たす楽曲ファイル」と称す。）が、記憶部１４の楽曲ファイル記憶領域１４ａに記憶されているか否かによって処理を分岐する。条件Ｅを満たす楽曲ファイルが記憶部１４に記憶されている場合は（Ｓ１６５：Ｙｅｓ）、Ｓ１７０へ処理を移行し、条件Ｅを満たす楽曲ファイルが記憶部１４に記憶されていない場合は（Ｓ１６５：Ｎｏ）、Ｓ１７５へ処理を移行する。
【００４６】
条件Ｅを満たす楽曲ファイルが記憶部１４に記憶されていると判定した場合に進むＳ１７０では、条件Ｅを満たす楽曲ファイルが記憶部１４に記憶されていることを報知する。具体的には例えば、表示部１５に「タイトルが一致する曲が既に記憶されています」と表示させたり、同内容をスピーカ２２から音声出力させたりすることによって報知する。そして、Ｓ２０５へ移行する（図４参照）。
【００４７】
条件Ｅを満たす楽曲ファイルが記憶部１４に記憶されていると判定した場合に進むＳ１７５では、ＣＤ又はサーバからオーディオデータを取得して新規に楽曲ファイルを生成して記憶部１４の楽曲ファイル記憶領域１４ａに記憶する。なお、ＣＤドライブ１２に挿入されているＣＤからオーディオデータを取得する旨の指示をユーザが操作部１６に対して行ったことによって本記憶処理の実行が開始された場合には、ＣＤからオーディオデータを取得する。一方、通信装置２１を介してサーバからオーディオデータを取得する旨の指示をユーザが操作部１６に対して行うことによって本記憶処理の実行が開始された場合には、通信装置２１を介してサーバからオーディオデータを取得する。楽曲ファイルの生成は、取得したオーディオデータと、上述したＳ１０５で取得した付随データと、他の楽曲ファイル及びダミーファイルの楽曲ＩＤと重ならないよう生成した楽曲ＩＤと、に基づいて行われる。Ｓ１７５のステップを終えると、本処理（記憶処理）を終了する。
【００４８】
説明を図４に移し、Ｓ２０５では、ユーザにオーディオデータの記憶方法を問い合わせる（Ｓ２０５）。そして、その応答に基づいて処理を分岐する（Ｓ２１０，Ｓ２２０，Ｓ２３０，Ｓ２４０）。具体的な問合せ方法としては、例えば、表示部１５に「どのように記憶しますか？番号を選択してください。１：新規ファイルを作成して記憶。２：ダミーファイルを作成して記憶。３：既存ファイルを上書き。４：記憶しない。」と表示させたり、スピーカ２２から同内容を音声出力させたりするとともに、ユーザからの操作部１６に対する応答を受け付けることによって行う。また、処理の分岐は、ユーザが新規ファイルの作成を希望した場合には、Ｓ２１５へ処理を移行し、ユーザがダミーファイルの作成を希望した場合には、Ｓ２２５へ処理を移行し、ユーザが既存ファイルの上書きを希望した場合には、Ｓ２３５へ処理を希望し、ユーザが記憶しないことを希望した場合には、本処理（記憶処理）を終了する。なお、ユーザの応答結果がいずれでもなかった場合は、Ｓ２４５へ処理を移行する。
【００４９】
ユーザが新規ファイルの作成を希望した場合に進むＳ２１５では、ＣＤ又はサーバからオーディオデータを取得して楽曲ファイルを作成し、記憶部１４の楽曲ファイル記憶領域１４ａに記憶させる。なお、ＣＤドライブ１２に挿入されているＣＤからオーディオデータを取得する旨の指示をユーザが操作部１６に対して行ったことによって本記憶処理の実行が開始された場合には、ＣＤからオーディオデータを取得する。一方、通信装置２１を介してサーバからオーディオデータを取得する旨の指示をユーザが操作部１６に対して行うことによって本記憶処理の実行が開始された場合には、通信装置２１を介してサーバからオーディオデータを取得する。楽曲ファイルの生成は、取得したオーディオデータと、上述したＳ１０５で取得した付随データと、他の楽曲ファイル及びダミーファイルの楽曲ＩＤと重ならないよう生成した楽曲ＩＤと、に基づいて行われる。Ｓ２１５のステップを終えると、本処理（記憶処理）を終了する。
【００５０】
ユーザがダミーファイルの作成を希望した場合に進むＳ２２５では、ダミーファイルを生成し、記憶部１４の楽曲ファイル記憶領域１４ａに記憶させる。ダミーファイルの生成は、他の楽曲ファイル及びダミーファイルの楽曲ＩＤと重ならないよう生成した楽曲ＩＤと、オーディオデータのダミーデータと、上述したＳ１０５で取得した付随データと、に基づいて行われる。なお、ダミーデータは、Ｓ１０５で取得した付随データに基づいて記憶部１４から検索された楽曲ファイルについてのリンクデータ（ファイルのパス及び楽曲ＩＤ）である。Ｓ２２５のステップを終えると、本処理（記憶処理）を終了する。
【００５１】
ユーザが既存ファイルの上書きを希望した場合に進むＳ２３５では、ＣＤ又はサーバからオーディオデータを取得し、記憶部１４より検索された楽曲ファイル中のオーディオデータを、取得したオーディオデータによって上書きする。なお、ＣＤドライブ１２に挿入されているＣＤからオーディオデータを取得する旨の指示をユーザが操作部１６に対して行ったことによって本記憶処理の実行が開始された場合には、ＣＤからオーディオデータを取得する。一方、通信装置２１を介してサーバからオーディオデータを取得する旨の指示をユーザが操作部１６に対して行うことによって本記憶処理の実行が開始された場合には、通信装置２１を介してサーバからオーディオデータを取得する。上書きするステップが存在する理由は、何らかの理由によってオーディオデータが破損した場合にそれを修復することを可能にするためである。Ｓ２３５のステップを終えると、本処理（記憶処理）を終了する。
【００５２】
ユーザの応答結果が上記いずれでもなかった場合に進むＳ２４５では、ユーザにエラーを報知する。具体的には例えば、表示部１５に「指令が適切ではありません」と表示させたり、スピーカ２２から同内容を音声出力させたりすることによって行う。Ｓ２４５のステップを終えると、本処理（記憶処理）を終了する。
【００５３】
（２）再生処理
次に再生処理について、図５のフローチャートを用いて説明する。再生処理は、制御部１８が主導して実行する。また、再生処理は、ユーザが再生を希望するファイル又はプレイリストを指定して再生の指示を操作部１６に対して行った際に実行が開始される。なお、以下の説明では、単一のファイルが指定された場合について説明する。プレイリストが指定された場合については、プレイリストデータ中の楽曲ＩＤによって特定されるファイルそれぞれに対して、以下の再生処理が繰り返しなされるものとして説明を省略する。
【００５４】
制御部１８は、再生処理の実行を開始すると、指定されたファイルを記憶部１４の楽曲ファイル記憶領域１４ａの中から特定する（Ｓ３０５）。
続いて、特定したファイルが、楽曲ファイルであるかダミーファイルであるかを判定して処理を分岐する（Ｓ３１０）。具体的には、特定したファイル内にオーディオデータが存在する場合には楽曲ファイルであると判定して、Ｓ３２０に処理を移行し、特定したファイル内にダミーデータ（リンクデータ）が存在する場合にはダミーファイルであると判定して、Ｓ３１５に処理を移行する。
【００５５】
特定したファイルはダミーファイルであると判定した場合に進むＳ３１５では、ダミーデータより特定される楽曲ファイルを記憶部１４の楽曲ファイル記憶領域１４ａから検索し、Ｓ３２０へ処理を移行する。
【００５６】
Ｓ３２０では、Ｓ３０５で検索されて見つかった楽曲ファイルに含まれるオーディオデータ又はＳ３１５で検索されて見つかった楽曲ファイルに含まれるオーディオデータに基づいて、楽曲の再生を開始する。再生が終了すると本処理（再生処理）を終了する。
【００５７】
（３）削除処理
次に削除処理について、図６のフローチャートを用いて説明する。削除処理は、制御部１８が主導して実行する。また、削除処理は、ユーザが削除を希望する一つのファイルを指定して削除指示を操作部１６に対して行った際に実行が開始される。
【００５８】
制御部１８は、削除処理の実行を開始すると、まず削除対象のファイルを記憶部１４の楽曲ファイル記憶領域１４ａの中から特定し、その特定した削除対象のファイルがダミーファイルであるか否かを判定する（Ｓ４０５）。この判定は、削除対象のファイル中にダミーデータ（リンクデータ）が存在しているか否かによって行うことができる。削除対象のファイルはダミーファイルであると判定した場合は（Ｓ４０５：Ｙｅｓ）、Ｓ４１０へ処理を移行し、削除対象のファイルはダミーファイルでないと判定した場合は（Ｓ４０５：Ｎｏ）、Ｓ４１５へ処理を移行する。
【００５９】
削除対象のファイルはダミーファイルであると判定した場合に進むＳ４１０では、当該ダミーファイルを記憶部１４の楽曲ファイル記憶領域１４ａから削除する。そして、本処理（削除処理）を終了する。
【００６０】
削除対象のファイルはダミーファイルでない、つまり楽曲ファイルであると判定した場合に進むＳ４１５では、当該削除対象の楽曲ファイルはダミーファイルにリンクされているか否かを判定する。具体的には、記憶部１４の楽曲ファイル記憶領域１４ａに記憶されている全てのダミーファイルのダミーデータ（リンクデータ）を調べることによって行う。削除対象の楽曲ファイルはダミーファイルにリンクされていると判定した場合は（Ｓ４１５：Ｙｅｓ）、Ｓ４２５へ処理を移行し、削除対象の楽曲ファイルはダミーファイルにリンクされていないと判定した場合は（Ｓ４１５：Ｎｏ）、Ｓ４２０へ処理を移行する。
【００６１】
削除対象の楽曲ファイルはダミーファイルにリンクされていないと判定した場合に進むＳ４２０では、削除対象の楽曲ファイルを記憶部１４の楽曲ファイル記憶領域１４ａから削除する。そして、本処理（削除処理）を終了する。
【００６２】
削除対象の楽曲ファイルはダミーファイルにリンクされていると判定した場合に進むＳ４２５では、削除対象の楽曲ファイルには、リンクしているダミーファイルがあることを報知する。具体的には例えば、表示部１５に「削除対象の楽曲ファイルには、リンクしているダミーファイルがあります」と表示させたり、スピーカ２２から同内容を音声出力させたりすることによって行う。続いて、それらのダミーファイルも一緒に削除するかどうかをユーザに問い合わせる（Ｓ４３０）。具体的には例えば、表示部１５に「リンクしているダミーファイルも削除してよいですか？」と表示させたり、スピーカ２２から同内容を音声出力させたりすることによって行う。そして、ユーザからの操作部１６に対する応答を受け付け、その応答結果が、リンクしているダミーファイルも削除するという応答であった場合は（Ｓ４３０：Ｙｅｓ）、Ｓ４３５へ処理を移行し、リンクしているダミーファイルは削除しないという応答であった場合は（Ｓ４３０：Ｎｏ）、Ｓ４４０へ処理を移行する。
【００６３】
リンクしているダミーファイルも削除するという応答であった場合に進むＳ４３５では、削除対象の楽曲ファイルにリンクしている全てのダミーファイルを記憶部１４の楽曲ファイル記憶領域１４ａから削除する。そして、本処理（削除処理）を終了する。
【００６４】
リンクしているダミーファイルは削除しないという応答であった場合に進むＳ４４０では、楽曲ファイルのみを削除するか否かをユーザに問い合わせる。具体的には例えば、表示部１５に「削除対象の楽曲ファイルのみを削除しますか？」と表示させたり、スピーカ２２から同内容を音声出力させたりすることによって行う。そして、ユーザからの操作部１６に対する応答を受け付け、その応答結果が、削除対象の楽曲ファイルを削除するという応答であった場合には（Ｓ４４０：Ｙｅｓ）、Ｓ４４５に移行し、削除対象の楽曲ファイルは削除しないという応答であった場合には（Ｓ４４０：Ｎｏ）、本処理（削除処理）を終了する。
【００６５】
楽曲ファイルのみを削除するという応答であった場合に進むＳ４４５では、ダミーファイルの再生ができなくなることを報知する。具体的には例えば、表示部１５に「削除対象の楽曲ファイルにリンクされているダミーファイルの再生は行えなくなります」と表示させたり、スピーカ２２から同内容を音声出力させたりすることによって行う。そして、削除対象の楽曲ファイルを記憶部１４の楽曲ファイル記憶領域１４ａから削除する。その後、本処理（削除処理）を終了する。
【００６６】
［実施形態の効果］
上記実施形態のオーディオ装置１１によれば、楽曲単位で楽曲ファイル又はダミーファイルが記憶部１４に記憶され（記憶処理のＳ２１５，Ｓ２２５等参照）、楽曲ファイル又はダミーファイルが選択されることにより、楽曲の再生がなされる（再生処理参照）。このため、ユーザは従来のようにプレイリストを介した選択を行う必要を強いられることなく、例えば、記憶部１４に記憶された全楽曲の一覧から再生を希望する楽曲を選択したり、アルバム単位ではない任意のプレイリストを作成したりすることを容易に行うことができる。つまり、上記実施形態のオーディオ装置１１は、従来のオーディオ装置と比較して使い勝手が良い。
【００６７】
また、上記実施形態のオーディオ装置１１は、同一視できるオーディオデータが既に記憶されているか否かの判定に関し、タイトルの一致による判定のみならず、オーディオデータが属するアルバム名、オーディオデータについてのアーティスト名、オーディオデータの演奏時間等の一致についても考慮して判定するようになっている（記憶処理のＳ１１５，Ｓ１３５，Ｓ１４５，Ｓ１５５参照）。
【００６８】
したがって、記憶対象のオーディオデータと同一視できるオーディオデータが記憶部１４に記憶されているか否かの判定を精度よく行うことができる。
また、ユーザが記憶部１４にダミーデータの代わりにオーディオデータを記憶させる旨の応答をすれば（Ｓ２１０：Ｙｅｓ）、記憶対象のオーディオデータと同一視できるオーディオデータが記憶部１４に記憶されていると判定された場合でも、記憶部１４にダミーデータの代わりにオーディオデータを記憶させることができるようになっている（Ｓ２１５）。
【００６９】
したがって、上記実施形態のオーディオ装置１１は、ユーザが記憶部１４にダミーデータの代わりにオーディオデータを記憶させたいと考えた場合にそれを実現することができ、使い勝手がよい。
【００７０】
また、削除対象が楽曲ファイルであった場合（Ｓ４０５：Ｎｏ）、当該楽曲ファイルに紐付けられたダミーファイルを検索し、当該ダミーファイルについても記憶部１４から削除することができる（Ｓ４３０：Ｙｅｓ，Ｓ４３５）。
【００７１】
したがって、上記実施形態のオーディオ装置１１によれば、再生対象としてダミーファイルが指定されたときに対応する楽曲ファイルがないことによって再生できないということの発生を防止することもできる。
【００７２】
［他の実施形態］
（１）上記実施形態のオーディオ装置１１は、ＣＤドライブ１２を備えていたが、ＣＤドライブ１２の代わりに、ＤＶＤドライブ、ＭＤドライブ等であってもよい。そして、これらのドライブに挿入されたオーディオデータ記憶媒体からオーディオデータを取得するようになっていてもよい。
【００７３】
また、通信インタフェース１３の通信相手として、ポータブルタイプのオーディオデータ記憶再生装置（例えば、ｍｐ３プレイヤー等）であってもよい。そして、このオーディオデータ記憶再生装置からオーディオデータを取得するようになっていてもよい。
【００７４】
（２）上記実施形態のオーディオ装置１１は、付随データ中のどのような項目が一致する楽曲ファイルが見つかったかをユーザに報知し、その後にユーザに記憶方法を問合せ、その応答にしたがって動作するようになっていたが、ユーザに問い合わせることなく、所定の項目が一致する楽曲ファイルが見つかったらダミーファイルを作成して記憶部１４に記憶させるようになっていてもよい。
【００７５】
このようなオーディオ装置１１でも、ユーザは従来のようにプレイリストを介した選択を行う必要を強いられることなく、例えば、記憶部１４に記憶された全楽曲の一覧から再生を希望する楽曲を選択したり、アルバム単位ではない任意のプレイリストを作成したりすることを容易に行うことができる。
【００７６】
［特許請求の範囲との対応］
上記実施形態の説明で用いた用語と、特許請求の範囲に記載した用語との対応を示す。
記憶部１４が記憶手段に相当し、ＣＤドライブ１２及び通信インタフェース１３が取得手段に相当し、制御部１８判定手段及び記憶制御手段に相当し、再生部１７が再生手段に相当し、操作部１６が受付手段に相当する。
【図面の簡単な説明】
【００７７】
【図１】オーディオ装置、及び、そのオーディオ装置に接続された装置類の概略構成を示すブロック図である。
【図２】記憶部に記憶されるデータについて説明するための説明図である。
【図３】記憶処理を説明するためのフローチャートである。
【図４】記憶処理を説明するためのフローチャートである。
【図５】再生処理を説明するためのフローチャートである。
【図６】削除処理を説明するためのフローチャートである。
【符号の説明】
【００７８】
１１…オーディオ装置、１２…ＣＤドライブ、１３…通信インタフェース、１４…記憶部、１４ａ…楽曲ファイル記憶領域、１４ｂ…プレイリストデータ記憶領域、１４ｃ…楽曲データベース領域、１５…表示部、１６…操作部、１７…再生部、１８…制御部、２１…通信装置、２２…スピーカ。
【図１】
2009122608.tif 000003
【図２】
2009122608.tif 000004
【図３】
2009122608.tif 000005
【図４】
2009122608.tif 000006
【図５】
2009122608.tif 000007
【図６】
2009122608.tif 000008